(57)【特許請求の範囲】
【請求項１】
レンズ光路内に位置する軸を中心に回転可能な光学フィルタと、
駆動源を有して前記レンズ光路内に進入した前記光学フィルタを前記レンズ光路内に位置する軸を中心に回転駆動するフィルタ回転手段と、
前記光学フィルタを通して被写界輝度を測定する測光手段と、
前記測光手段による測光結果に応じて前記光学フィルタの目標回転位置を設定する目標回転位置設定手段と、
前記目標回転位置設定手段により設定された目標回転位置に、前記フィルタ回転手段を介して前記光学フィルタを回転させるフィルタ回転制御手段と、
前記光学フィルタの効果度を選択的に設定するためのフィルタ効果設定手段を有しており、
前記目標回転位置設定手段は、前記フィルタ回転手段により前記光学フィルタを回転させたまま前記測光手段による測光を行わせ、該測光結果が最大値及び最小値となったときの前記光学フィルタの回転位置に基づいて、前記フィルタ効果設定手段により設定されたフィルタ効果度に応じた前記光学フィルタの目標回転位置を設定することを特徴とするカメラ。
【発明の詳細な説明】
【０００１】
【発明の属する技術分野】
本発明は、撮影レンズ用光学フィルタを内蔵したカメラに関するものである。
【０００２】
【従来の技術】
ＴＴＬ一眼レフカメラでは、撮影レンズを通った光をファインダに導いているため、偏光フィルタ等を用いる場合、撮影レンズの先端に設けられためねじに偏光フィルタ等の取付け部のおねじを螺合固定する。そして、撮影者はカメラのファインダを覗きながら手動にて偏光フィルタ等を撮影レンズの光軸と平行な軸を中心に回転させ（偏光フィルタ等の一部のフィルタは、上記取付け部に対して回転可能な構造となっている）、所望のフィルタ効果が得られるようファインダ画面を目で確認し、偏光フィルタ等の回転位置を合わせて撮影していた。
【０００３】
そこで、フィルタの着脱の不便さを解消するため、特開平８−３３４８０９号公報には、内蔵されたフィルタの撮影レンズ光路内外への進退を電動で行うようにしたカメラが提案されている。
【０００４】
また、特開平５−３４１１６号公報には、ビデオカメラ用交換レンズ等のレンズ鏡筒に偏光フィルタを２枚配置し、一方をアクチュエータで回転させることにより交換レンズ（特にミラーレンズ）の光量調節を連続的に行う技術が提案されている。
【０００５】
また、レンズシャッタカメラでは、撮影レンズの光軸とファインダの光軸が別であるため、撮影レンズを通った光を観察できず、撮影レンズの先端に取り付けられた偏光フィルタ等の効果をファインダを通しては確認できない。このため、撮影者は偏光フィルタ等の回転枠に設けられた指標により回転位置を目測にて合わせ、撮影していた。
【０００６】
そこで、実開平３−６０３２３号公報には、撮影レンズとファインダ双方の前面に偏光フィルタを同期回転可能に設け、撮影者が撮影レンズ側の偏光フィルタを手動にて回転させれば、ファインダ側の偏光フィルタも同じ向きを保ち同期して回転し、撮影時の偏光フィルタの効果をファインダを通して目で確認できるレンズシャッタカメラが提案されている。
【０００７】
【発明が解決しようとする課題】
しかしながら、従来のＴＴＬ一眼レフカメラでは、偏光フィルタ等のフィルタ効果をファインダを通していちいち撮影者が目で確認しながら、好みの位置に手動で偏光フィルタ等を回転させなければならず、面倒であるという不都合があった。しかも、撮影者は最もフィルタ効果の高い位置に偏光フィルタ等の回転位置を合わせたつもりでも、若干のずれが生じてしまい、フィルタ効果を最大限生かせないという不都合があった。
【０００８】
また、偏光フィルタ等が不要となる撮影時（例えば、被写体低輝度時、逆光等の偏光フィルタ効果が少ない時、或いは通常の閃光発光撮影で偏光フィルタ等により発光光量をロスする時など）には、撮影者が自ら判断していちいち偏光フィルタ等を手で取り外さなければならない。また逆に、急に偏光フィルタ等を必要とする撮影時には、フィルタケースに仕舞ってある偏光フィルタ等を取り出して撮影レンズに手でいちいち装着しなければならず、非常に面倒である。したがって、速写性に劣り、シャッタチャンスを逃してしまうという大きな不都合があった。
【０００９】
また、上記特開平８−３３４８０９号公報や特開平５−３４１１６号公報にて提案されたカメラ等では、たとえ偏光フィルタ等の着脱が内蔵偏光フィルタ等の電動進退で可能であっても、偏光フィルタ等が必要か否かは撮影者が判断して、手動スイッチを操作して行わなければならず、面倒であった。その上、偏光フィルタ等の電動進退機構がレンズ鏡筒に設けられると、電動進退機構のスペースに加え、フィルタを光路中から完全に逃がすための退避スペースも光軸と垂直方向に必要となる。このため、円筒形の鏡筒の一部が大きく突出してしまい、デザイン的に破綻してしまうという不都合があった。
【００１０】
さらに、特開平５−３４１１６号公報にて提案されているように、フィルタの機構を交換レンズ側に設けてしまうと、同じフィルタ効果を得るために、ＴＴＬ一眼レフカメラシステムの各交換レンズに個別に合わせた大きさの同様なフィルタ機構が必要となり、システムとしてコストアップとなる不都合があった。
【００１１】
また、ほとんどのレンズシャッタカメラでは、ＴＴＬ測光ではなく、外部測光を採用しているため、偏光フィルタ等を使用した場合、実際にフィルムに露光される露出は偏光フィルタ等を通過して減光したものであるのに対し、カメラの測光値は通常のままのため、露出補正をしないと撮影された写真が露出不足になってしまうという不都合があった。
【００１２】
また、ほとんどのレンズシャッタカメラでは、ＴＴＬ測距ではなく、外部測距を採用しているため、仮に撮影レンズの前側を除く撮影レンズの光路内にフィルタを挿入すると、光路長変化により、結像位置がフィルタを挿入しない場合と異なってしまうため、外部測距装置で得られた測距データのまま自動焦点調節したのではピントがずれてしまうという不都合があった。
【００１３】
また、ＴＴＬ一眼レフカメラ、レンズシャッタカメラに係わらず、主に平面被写体（特に平滑面を有している被写体）を閃光発光させて近接撮影を行う場合、ストロボ等の閃光発光装置から出た光が被写体により反射され、撮影レンズ内に入り、ハイライトグレアが生じ、被写体が鮮明に写らないという不都合があった。
【００２５】
本願発明であるカメラは、レンズ光路内に位置する軸を中心に回転可能な光学フィルタと、駆動源を有してレンズ光路内に進入した光学フィルタをレンズ光路内に位置する軸を中心に回転駆動するフィルタ回転手段と、光学フィルタを通して被写界輝度を測定する測光手段と、測光手段による測光結果に応じて光学フィルタの目標回転位置を設定する目標回転位置設定手段と、目標回転位置設定手段により設定された目標回転位置に、フィルタ回転手段を介して光学フィルタを回転させるフィルタ回転制御手段と、光学フィルタの効果度を選択的に設定するためのフィルタ効果設定手段を有している。そして、目標回転位置設定手段は、フィルタ回転手段により光学フィルタを回転させたまま測光手段による測光を行わせ、測光結果が最大値及び最小値となったときの光学フィルタの回転位置に基づいて、フィルタ効果設定手段により設定されたフィルタ効果度に応じた光学フィルタの目標回転位置を設定する。
【００４４】
【発明の実施の形態】
（第１実施形態）
図１〜図７には、本発明の第１実施形態であるレンズシャッタカメラを示している。なお、図１はレンズシャッタカメラを上方から見たときの要部構成図、図２はレンズシャッタカメラの外観斜視図、図３は要部斜視図であり、フィルタが撮影レンズの光路内に進入した状態を表す。また、図４は要部斜視図で、フィルタが撮影レンズの光路外に退避した状態を表す。さらに、図５は構成要素を表すブロック図であり、図６および図７は作動フローチャートである。
【００４５】
これらの図において、１はレンズシャッタカメラであり、図３及び図４に示す要部構成が全て収容されたカメラボディ部１ａと、撮影レンズ２の一部が収容されたレンズ鏡筒部１ｂとから構成されている。２は近接（マクロ）撮影が可能な撮影レンズで、３は偏光フィルタ（請求の範囲にいう光学フィルタ）である。
【００４６】
４はフィルタ保持枠で、偏光フィルタ３を固定保持している。このフィルタ保持枠４は、外周前側（被写体側）にて撮影レンズ２の光軸と平行な軸を中心に回転可能にフィルタ支持部材５に支持されており、外周後側（フィルム面側）には回動力を受けるギヤ（以下、フィルタギヤという）４ａが設けられている。
【００４７】
図３に示す５ａはフィルタ支持部材５の進退ガイド部であり、この進退ガイド部５ａには、不図示のカメラ本体に植設されたフランジ付きの２本のガイドピン６と嵌合する長孔５ｂが形成されている。フィルタ支持部材５は、これらガイドピン６と長孔５ｂとの嵌合により光軸垂直方向（カメラの左右方向）にスライド可能に、しかもガイドピン６のフランジ６ａと不図示のカメラ本体により僅かの隙間をもって挟まれることにより光軸方向の規制を受けて、カメラ本体に支持されている。
【００４８】
５ｃはフィルタ支持部材５の進退ガイド部５ａの上端に設けられたラックギヤ、５ｄはフィルタ支持部材５の進退ガイド部５ａの下端に設けられたばね掛け、７ａはカメラ本体に設けられたばね掛けである。７ｂはカメラ本体に設けられたストッパであり、図３に示すように、これにフィルタ支持部材５の進退ガイド部５ａの右端５ｅが当接することにより、偏光フィルタ３の回転中心と撮影レンズ２の光軸とがほぼ一致するようになっている。
【００４９】
８は引っ張りコイルばねで、両ばね掛け５ｄ，７ａの間に掛けられ、図３の状態で進退ガイド部５ａの右端５ｅとストッパ７ｂとを当接させるように張力を発生している。
【００５０】
９はフィルタ駆動用電磁モータ（以下、フィルタ駆動モータという）であり、カメラ本体に固定されている。１０はモータウォームギヤ、１１は大ギヤがモータウオームギヤ１０と噛合う斜歯ギヤ１１ａと小ギヤ１１ｂからなる第１二段ギヤである。１２は第２二段ギヤで、大ギヤ１２ａが小ギヤ１１ｂと噛合い、小ギヤ１２ｂが太陽ギヤとなって遊星ギヤ１３と噛合う。
【００５１】
１４は遊星アームで、遊星ギヤ１３を太陽ギヤ１２ｂの回りに公転可能に保持する。１５はアイドラギヤで、遊星ギヤ１３とフィルタギヤ４ａとの間を繋ぐ。なお、ギヤ１１，１２，１５はカメラ本体に回転可能に取り付けられている。また、フィルタ駆動モータ９の正転・逆転により、遊星ギヤ１３は太陽ギヤ１２ｂの回りを時計回り方向又は反時計回り方向に公転して、アイドラギヤ１５又はラックギヤ５ｃに噛合い、これらに偏光フィルタ３の回転や撮影レンズ２の光路内外への進退動作のための駆動力を伝達する。
【００５２】
なお、フィルタ駆動モータ９，ギヤ１０，１１，１２，１３、遊星アーム１４、アイドラギヤ１５およびフィルタギヤ４ａは、請求の範囲にいうフィルタ回転手段を構成する。また、ラックギヤ５ｃ，引っ張りコイルばね８，フィルタ駆動モータ９，ギヤ１０，１１，１２，１３および遊星アーム１４は、フィルタ進退手段を構成する。
【００５３】
１６は位相板で、フィルタ保持枠４の後端（フィルタギヤ４ａの後）に偏光フィルタ３の回転軸と同心に固定されている。この位相板１６は、偏光フィルタ３の光路を遮らないようにリング形状に形成されている。また、位相板１６はリスフィルム等の薄いフィルムからなり、このフィルム上に透光部と遮光部の連続パターンが形成されて構成されている。さらに、図４に示す１６ａは、他の透光部よりも大きい位相で形成された初期位置用透光部である。
【００５４】
１７は位相板１６を挟んで撮影レンズ２の光軸の真上に設けられたフォトインタラプタであり、偏光フィルタ３の回転によりフォトインタラプタ１７内に位相板１６の透光部が位置したときに信号を出力し、位相板１６の遮光部が位置したときに信号出力を停止する。これにより、偏光フィルタ３の回転角度に応じたパルス信号が形成され、初期位置からのパルス信号数を図５に示す制御回路３２によってカウントすることにより、偏光フィルタ３の回転位置を割出すことができる。
【００５５】
１８は測光レンズ、１９は測光センサ（ＳＰＣ）である。測光センサ１９は、センサ受光面の中央と外周の出力を分離して検知できる逆光検知機能を有しており、図５に示すように測光ＩＣ１９と一体化されている。測光レンズ１８および測光センサ１９は偏光フィルタ３の直後（フィルム面側）に配置され、偏光フィルタ３を通過した被写界光を測ることができる。なお、本カメラでは、撮影画面（水平方向に長く、垂直方向に短い長方形画面）に影響の少ないレンズ２ａの上側をカットして測光センサ１９の配置スペースを確保しており、測光レンズ１８および測光センサ１９は不図示の遮光筒により撮影光及び測光への悪影響が生じないようになっている。
【００５６】
２０はフィルタ進退検知スイッチで、偏光フィルタ３が撮影レンズ光路内へ進入したときにＯＦＦ、光路外へ退避したときにＯＮとなる。
【００５７】
図１に示す２１は、絞りとシャッタを兼用したプログラム式レンズシャッタで、偏光フィルタ３の後ろ（フィルム面側）で測光センサ１９への光路を遮らないよう配置されている。
【００５８】
図２に示す２２はカメラボディ部１ａの上面に設けられたフィルタ効果設定ダイヤルであり、これを撮影者が回転させることにより、偏光フィルタ３の効果を選択的に設定できるようになっている。具体的には、偏光フィルタ３を撮影レンズ光路外に退避させるＯＦＦポジション、偏光フィルタ３を撮影レンズ光路内に進入させるとともに最大フィルタ効果を得る回転位置にセットするＭＡＸポジション、最小フィルタ効果を得る回転位置にセットするＭＩＮポジション、最大と最小の半分となるフィルタ効果を得る回転位置にセットする１／２ポジション、最大と最小の４分の１となるフィルタ効果を得る回転位置にセットする１／４ポジション、最大と最小の４分の３となる回転位置にセットする３／４ポジションに設定可能である。
【００５９】
２３は上記各ポジションを選択する際に合わせる指標、２４はファインダ対物窓、２５はオートフォーカス投光窓、２６はオートフォーカス受光窓、２７はストロボ発光窓、２８はレリーズボタン、２９はフィルム巻取りスプール、３０はフィルム、３１はフィルムパトローネである。
【００６０】
図５において、３２はカメラ全体を制御する制御回路（ＣＰＵ）であり、偏光フィルタ３を回転させながら測光センサ１９により測光した測光値に基づいて各種演算をする演算機能や、特定のフィルタ回転位置等を記憶するメモリ機能等を有する。
【００６１】
３３はアクティブオートフォーカス用の位置検出素子（ＰＳＤ）等の測距センサで、不図示の投光素子（ｉＲＥＤ等）から投じられた赤外光の被写体からの反射光を受けて受光位置に応じた信号を出力する。制御回路３２は測距センサ３３からの信号に基づいて被写体距離を演算し、不図示のレンズ駆動モータを作動させて焦点調節用レンズ２ｂを動かし、焦点調節を行う。なお、測距センサ３３、制御回路３２およびレンズ駆動モータにより焦点調節手段が構成される。
【００６２】
３４はフィルタ駆動モータ９を駆動するためのモータ駆動回路、３５はストロボを発光させるための高電圧を作り出すストロボ回路である。３６はストロボ発光部であり、発光管と反射笠とから構成されている。
【００６３】
次に、上記制御回路３２の動作を図６および図７のフローチャートに沿って説明する。なお、これらの図のフローチャートにおいて、丸囲みの数字を付した部分は互いにつながっていることを示している。
【００６４】
［ステップ１（Ｓ１）］
不図示のメインスイッチをＯＮすると、カメラに電源が供給され、撮影レンズ２が所定位置に繰り出され、撮影準備初期状態となる。
【００６５】
［ステップ２（Ｓ２）］
制御回路３２は、フィルタ効果設定ダイヤル２２の設定状態を検出し、これがＯＦＦポジションであればステップ３へ進み、ＭＡＸ，３／４，１／２，１／４，ＭＩＮポジションのいずれかであればステップ１６に進む。
【００６６】
［ステップ３（Ｓ３）］
制御回路３２は、フィルタ進退検知スイッチ２０の状態を検出し、偏光フィルタ３が確実に撮影レンズ光路外へ退避している（図４の状態）か否かをチェックする。スイッチ２０がＯＮであれば、偏光フィルタ３の退避を確認してステップ７へ進む。スイッチ２０がＯＦＦであれば、偏光フィルタ３が撮影レンズ光路内に進入している（図３の状態）と判断し、ステップ４へ進む。
【００６７】
［ステップ４（Ｓ４）］
制御回路３２は、モータ駆動回路３４へフィルタ駆動モータ９を逆転させるよう指令を送り、フィルタ駆動モータ９を逆転させる。モータ９の動力はモータウオームギヤ１０を介して、図３の状態から第１二段ギヤ１１を時計回り方向に、第２二段ギヤ１２を反時計回り方向に回転させ、遊星ギヤ１３を太陽ギヤ１２ｂの周りにて反時計回り方向に公転させる。このため、今までアイドラギヤ１５に噛合っていた遊星ギヤ１３は、ラックギヤ５ｃに噛合い、引っ張りコイルばね８の張力に抗してフィルタ支持部材５を偏光フィルタ３が撮影レンズ光路外へ完全に退避する位置（図４の状態）に移動するまで回転する。
【００６８】
［ステップ５（Ｓ５）］
制御回路３２は、再びフィルタ進退検知スイッチ２０の状態を検出し、偏光フィルタ３が確実に撮影レンズ光路外へ退避した（図４の状態）か否かをチェックする。スイッチ２０がＯＮであれば、偏光フィルタ３の退避を確認してステップ６へ進む。スイッチ２０がＯＦＦであれば、まだ偏光フィルタ３が撮影レンズ光路外に退避していないと判断し、ステップ４を繰り返す。
【００６９】
［ステップ６（Ｓ６）］
制御回路３２は、モータ駆動回路３４へフィルタ駆動モータ９を停止させるよう指令を送り、フィルタ駆動モータ９を停止させる。ここでフィルタ支持部材５には引っ張りコイルばね８により常に撮影レンズ光路内へ進入させるような張力が働くが、ラックギヤ５ｃから遊星ギヤ１３、第２二段ギヤ１２、第１二段ギヤ１１およびモータウオームギヤ１０へと増速方向の噛合いで増速最終段がウオームギヤとなっているため、ばね８の張力では逆転することはなく、図４の状態で保持される。
【００７０】
なお、万一大きなショックがカメラに加わりこれらギヤの噛合いがはずれてしまう惧れを考慮するなら、フィルタ支持部材５の進退ガイド部５ａを図４の状態で係止保持し、フィルタ駆動モータ９の正転で係止解除するような係止機構を設けてもよい。次にステップ７へ進む。
【００７１】
［ステップ７（Ｓ７）］
制御回路３２は、カメラのレリーズボタン２８が第１ストロークまで押されてＳＷ−１がＯＮしたか否かを判別する。ＯＮであればステップ８へ進む。ＳＷ−１がＯＦＦであればステップ４４まで飛ぶ。
【００７２】
［ステップ８（Ｓ８）］
制御回路３２は、測光ＩＣと一体化された測光センサ１９からの測光出力を取り込み、ＡＥ測光演算を行い露光制御値を決定する。
【００７３】
［ステップ９（Ｓ９）］
制御回路３２は、投光素子ｉＲＥＤ（不図示）を点灯させて被写体へ投光させ、被写体からの赤外線反射光を受けた測距センサ（ＰＳＤ）３３からの出力を取り込み、ＡＦ測距演算を行って焦点合わせのための撮影レンズ駆動量を決定する。
【００７４】
［ステップ１０（Ｓ１０）］
不図示のストロボモード設定手段によりストロボオートモードが選択された場合、ステップ８でのＡＥ測光演算によりストロボ発光の必要のある被写体低輝度と判断した場合およびストロボモード設定手段によりストロボ強制発光が選択された場合は、制御手段３２はストロボ発光すると判断し、ステップ３６へ進む。ストロボが発光しないと判断した場合はステップ１１へ進む。
【００７５】
［ステップ１１（Ｓ１１）］
制御回路３２は、カメラのレリーズボタン２８が第２ストロークまで押されてＳＷ−２がＯＮしたか否かを判別する。ＯＮであればステップ１２へ進む。ＳＷ−２がＯＦＦであればステップ２へ戻る。
【００７６】
［ステップ１２（Ｓ１２）］
制御回路３２は、ステップ９のＡＦ測距演算結果による撮影レンズ駆動量に基づいて撮影レンズ２（焦点調節用レンズ２ｂ）を駆動し、焦点調節を行う。
【００７７】
［ステップ１３（Ｓ１３）］
制御回路３２は、ステップ８で決定された露出制御値に基づいてレンズシャッタ２１の絞りとシャッタ秒時を制御し、露光を行う。
【００７８】
［ステップ１４（Ｓ１４）］
制御回路３２は、露光終了後、焦点調節のために駆動した撮影レンズ２を初期位置へ復帰させる。
【００７９】
［ステップ１５（Ｓ１５）］
制御回路３２は、フィルムを一駒巻上げ、次の撮影に備える。巻上げ終了後はステップ２へ戻る。
【００８０】
［ステップ１６（Ｓ１６）］
制御回路３２は、ステップ２でフィルタ効果設定ダイヤル２２がＯＦＦ以外と判断された後、カメラのレリーズボタン２８が第１ストロークまで押されてＳＷ−１がＯＮしたか否かを判別する。ＯＮであればステップ１７へ進む。ＳＷ−１がＯＦＦであればステップ４４まで飛ぶ。
【００８１】
［ステップ１７（Ｓ１７）］
制御手段３２は、モータ駆動回路３４へフィルタ駆動モータ９を正転させるよう指令を送り、フィルタ駆動モータ９を正転させる。初め図４の状態であった場合は、モータ９の動力はモータウオームギヤ１０を介して第１二段ギヤ１１を反時計回り方向に、第２二段ギヤ１２を時計回り方向に回転させ、遊星ギヤ１３を太陽ギヤ１２ｂの周りにて時計回り方向に公転させる。
【００８２】
これにより、ラックギヤ５ｃと噛合っていた遊星ギヤ１３がラックギヤ５ｃから外れ、アイドラギヤ１５と噛合う。これと同時に、引っ張りコイルばね８に引っ張られたフィルタ支持部材５は、進退ガイド部５ａの右端５ｅがストッパ７ｂに当接する位置まで移動する。これにより、偏光フィルタ３が撮影レンズ光路内の所定位置へ進入するとともに、フィルタギヤ４ａがアイドラギヤ１５と噛合って図３の状態となる（初めから図３の状態であった場合は、前述の図４の状態からの動作は無い）。
【００８３】
その後もモータ９の正転を続けさせ、フィルタギヤ４ａを反時計回り方向に回転させる。これにより、フィルタギヤ４ａと一体のフィルタ保持枠４に保持された偏光フィルタ３は、撮影レンズ２の光軸とほぼ一致する軸を中心に反時計回り方向に回転する。
【００８４】
［ステップ１８（Ｓ１８）］
制御回路３２は、偏光フィルタ３を回転させたまま偏光フィルタ３を通過した被写体光を受けた測光センサ１９からの測光出力を取り込み、ＡＥ測光演算を行う。
【００８５】
［ステップ１９（Ｓ１９）］
ステップ１８と同時に、制御手段３２は投光素子ｉＲＥＤ（不図示）を点灯させて被写体へ投光させ、被写体からの赤外線反射光を受けた測距センサ（ＰＳＤ）３３からの出力を取り込む。そして、撮影レンズ２内に偏光フィルタ３を挿入した分の撮影光路長変化を考慮して、補正を加えてＡＦ測距演算を行い、焦点合わせのための撮影レンズ駆動量を決定する。
【００８６】
［ステップ２０（Ｓ２０）］
ステップ１８，１９と同時に、制御手段３２は測光センサ１９からの測光出力の最大値と最小値を検出演算すると共に、測光出力とフォトインタラプタ１７の初期位置からのパルスのカウント数を対応付け、測光出力が最大値と最小値を示した時の偏光フィルタ３の回転位置をそれぞれ記憶する。
【００８７】
［ステップ２１（Ｓ２１）］
制御回路３２は、ストロボモード設定手段によってストロボ強制発光が選択された場合は、ストロボが発光すると判断し、ステップ４０へ進む。ストロボが発光しない場合はステップ２２へ進む。
【００８８】
［ステップ２２（Ｓ２２）］
制御回路３２は、ステップ１８でのＡＥ測光演算により、測光センサ（ＳＰＣ）１９でセンサ受光面の中央と外周の測光出力差が所定値より大きくなった時は、偏光フィルタの効果の少ない逆光撮影であると判断して、ステップ４へ戻り、偏光フィルタ３の撮影レンズ光路外への退避動作を行う。逆光撮影でなければステップ２３へ進む。
【００８９】
［ステップ２３（Ｓ２３）］
制御回路３２は、ステップ１８でのＡＥ測光演算により、偏光フィルタ３の進入時の測光出力最大値が所定値Ａよりも小さい低輝度被写体撮影と判断したときは、このまま撮影するとシャッタ露光秒時が長秒時になり手ぶれの惧れがあり、ストロボ発光の必要があるのでステップ４へ戻り、偏光フィルタ３の撮影レンズ光路外への退避動作を行う。所定値Ａよりも小さくなければステップ２４へ進む。
【００９０】
［ステップ２４（Ｓ２４）］
制御回路３２は、ステップ１８でのＡＥ測光演算により、偏光フィルタ３の進入時の測光出力最大値と最小値の差が所定値Ｂよりも小さいと判断したときは、偏光フィルタ３の効果が少ないとしてステップ４へ戻り、偏光フィルタ３の撮影レンズ光路外への退避動作を行う。所定値Ｂよりも小さくなければステップ２５へ進む。
【００９１】
［ステップ２５（Ｓ２５）］
制御回路３２は、フィルタ効果設定ダイヤル２２の設定状態を検出し、これがＭＡＸポジションに設定されていればステップ２６へ進む。そうでなければ、ステップ２７へ進む。
【００９２】
［ステップ２６（Ｓ２６）］
制御回路３２は、ステップ２０での偏光フィルタ効果の最も大きい測光出力が最小値を示した記憶位置に偏光フィルタ３をセットするようモータ駆動回路３４に制御信号を伝える。そして、初期位置からのフォトインタラプタ１７のパルスをカウントし、所望位置が得られた時点でフィルタ駆動モータ９の駆動を停止させる。その後ステップ１１へ進む。
【００９３】
［ステップ２７（Ｓ２７）］
制御回路３２は、フィルタ効果設定ダイヤル２２の設定状態を検出し、これが３／４ポジションに設定されていればステップ２８へ進む。そうでなければ、ステップ２９へ進む。
【００９４】
［ステップ２８（Ｓ２８）］
制御回路３２は、ステップ２０での測光出力が最小値を示した記憶位置と測光出力が最大値を示した記憶位置との間のフィルタ回転角度を４等分し、そのうちの最小値側に寄った偏光フィルタ効果が２番目に大きい（フィルタ効果はＭＡＸ−ＭＩＮの３／４のイメージとなる）位置に偏光フィルタ３をセットするようモータ駆動回路３４に制御信号を伝える。そして、初期位置からのフォトインタラプタ１７のパルスをカウントし、所望位置が得られた時点でフィルタ駆動モータ９の駆動を停止させる。その後ステップ１１へ進む。
【００９５】
［ステップ２９（Ｓ２９）］
制御回路３２は、フィルタ効果設定ダイヤル２２の設定状態を検出し、これが１／２ポジションに設定されていればステップ３０へ進む。そうでなければステップ３１へ進む。
【００９６】
［ステップ３０（Ｓ３０）］
制御回路３２は、ステップ２０での測光出力が最小値を示した記憶位置と測光出力が最大値を示した記憶位置との間のフィルタ回転角度を４等分し、そのうちの偏光フィルタ効果が中間の（フィルタ効果はＭＡＸ−ＭＩＮの１／２のイメージとなる）位置に偏光フィルタ３をセットするようモータ駆動回路３４へ制御信号を伝える。そして、初期位置からのフォトインタラプタ１７のパルスをカウントし、所望位置が得られた時点でフィルタ駆動モータ９の駆動を停止させる。その後ステップ１１へ進む。
【００９７】
［ステップ３１（Ｓ３１）］
制御回路３２は、フィルタ効果設定ダイヤル２２の設定状態を検出し、これが１／４ポジションに設定されていればステップ３２へ進む。そうでなければ、ステップ３３へ進む。
【００９８】
［ステップ３２（Ｓ３２）］
制御回路３２は、ステップ２０での測光出力が最小値を示した記憶位置と測光出力が最大値を示した記憶位置との間のフィルタ回転角度を４等分し、そのうちの最大値側に寄った偏光フィルタ効果が２番目に小さい（フィルタ効果はＭＡＸ−ＭＩＮの１／４のイメージとなる）位置に偏光フィルタ３をセットするようモータ駆動回路３４へ制御信号を伝える。そして、初期位置からのフォトインタラプタ１７のパルスをカウントし、所望位置が得られた時点でフィルタ駆動モータ９の駆動を停止させる。その後ステップ１１へ進む。
【００９９】
［ステップ３３（Ｓ３３）］
制御回路３２は、フィルタ効果設定ダイヤル２２の設定状態を検出し、これがＭＩＮポジションに設定されていればステップ３４へ進む。そうでなければ、ステップ３５へ進む。
【０１００】
［ステップ３４（Ｓ３４）］
制御回路３２は、ステップ２０での偏光フィルタ効果の最も小さい測光出力が最大値を示した記憶位置に偏光フィルタ３をセットするようモータ駆動回路３４へ制御信号を伝える。そして、初期位置からのフォトインタラプタ１７のパルスをカウントし、所望位置が得られた時点でフィルタ駆動モータ９の駆動を停止させる。その後ステップ１１へ進む。
【０１０１】
［ステップ３５（Ｓ３５）］
ステップ２５，２７，２９，３１，３３にていずれのダイヤルポジションとなっているか判別できなかった場合は、フィルタ効果設定ダイヤル２２に接触不良等の不具合が生じたとして、制御回路３２からモータ駆動回路３４へ制御信号を伝え、フォトインタラプタ１７のパルスを検出しながら偏光フィルタ３を回転初期位置に戻す。その後カメラを作動禁止とする。
【０１０２】
［ステップ３６（Ｓ３６）］
制御回路３２は、ステップ１０にてストロボが発光すると判断した後、ステップ９にて得られた測距演算値がマクロ撮影領域に入る所定の近接距離Ｃよりも大きいと判断した場合は、通常距離の撮影とみなし、ステップ３７へ進む。そうでない場合は近接距離の撮影（マクロ撮影）と見なし、ステップ４１へ進む。
【０１０３】
［ステップ３７（Ｓ３７）］
制御回路３２は、カメラのレリーズボタン２８が第２ストロークまで押されてＳＷ−２がＯＮしたか否かを判別する。ＯＮであればステップ３８へ進む。ＳＷ−２がＯＦＦであればステップ２へ戻る。
【０１０４】
［ステップ３８（Ｓ３８）］
制御回路３２は、ステップ９のフローを通ってきた場合はステップ９のＡＦ測距演算結果による撮影レンズ駆動量に基づいて、またステップ１９のフローを通ってきた場合はステップ１９のＡＦ測距演算結果による撮影レンズ駆動量に基づいて、撮影レンズ２（焦点調節用レンズ２ｂ）を駆動し、焦点調節する。
【０１０５】
［ステップ３９（Ｓ３９）］
制御回路３２は、ステップ８のフローを通ってきた場合はステップ８で決定された露出制御値に基づいて、ステップ１８のフローを通ってきた場合はステップ１８で決定された露出制御値に基づいて、レンズシャッタ２１の絞りとシャッタ秒時を制御し、ストロボを発光させ露光を行う。その後ステップ１４へ進む。
【０１０６】
［ステップ４０（Ｓ４０）］
制御回路３２は、ステップ２１にてストロボが発光すると判断した後、ステップ１９にて得られた測距演算値がマクロ撮影領域に入る所定の近接距離Ｃよりも大きいと判断した場合は、通常距離の撮影と見なし、ステップ４へ戻って偏光フィルタ３の撮影レンズ光路外への退避動作を行わせる。そうでない場合は近接距離の撮影（マクロ撮影）と見なし、ステップ４１へ進む。
【０１０７】
［ステップ４１（Ｓ４１）］
制御手段３２は、モータ駆動回路３４へフィルタ駆動モータ９を正転させるよう指令を送り、フィルタ駆動モータ９を正転させる。ステップ３６を経由した初め図４の状態であった場合は、モータ９の動力はモータウオームギヤ１０を介して第１二段ギヤ１１を反時計回り方向に、第２二段ギヤ１２を時計回り方向に回転させ、遊星ギヤ１３を太陽ギヤ１２ｂの周りで時計回り方向に公転させる。このため、ラックギヤ５ｃと噛合っていた遊星ギヤ１３はラックギヤ５ｃから外れ、アイドラギヤ１５と噛合う。
【０１０８】
これと同時に、引っ張りコイルばね８に引っ張られたフィルタ支持部材５は、進退ガイド部５ａの右端５ｅがストッパ７ｂに当接する位置まで移動する。これにより、偏光フィルタ３が撮影レンズ光路内の所定位置へ進入するとともに、フィルタギヤ４ａがアイドラギヤ１５と噛合って図３の状態となる（ステップ４０を経由した初めから図３の状態であった場合は前述の図４の状態からの動作は無い）。
【０１０９】
その後もモータ９の正転を続けさせ、フィルタギヤ４ａを反時計回り方向に回転させる。これにより、フィルタギヤ４ａと一体のフィルタ保持枠４に保持された偏光フィルタ３は、撮影レンズ２の光軸とほぼ一致する軸を中心に反時計回り方向へ回転する。
【０１１０】
［ステップ４２（Ｓ４２）］
制御回路３２は、ストロボから出た光が近接被写体（複写等の主に平面被写体で特に平滑面を有しているもの）により反射されて撮影レンズ内に入ってしまうのを最も効果的にカットできる回転位置に偏光フィルタ３をセットするため、モータ駆動回路３４へ制御信号を伝える。なお、上記回転位置は、被写体とカメラの内蔵ストロボの位置関係でほぼ決まり、予めメモリ内に記憶されたものである。
【０１１１】
そして、初期位置からのフォトインタラプタ１７のパルスをカウントし、所望位置が得られた時点でフィルタ駆動モータ９の駆動を停止する。その後ステップ３７へ進む。
【０１１２】
［ステップ４４（Ｓ４４）］
制御回路３２は、不図示のメインスイッチの状態を検出し、ＯＮであればステップ２へ戻り、以下繰り返す。ＯＦＦであればステップ４５へ進む。
【０１１３】
［ステップ４５（Ｓ４５）］
制御回路３２は、撮影レンズ鏡筒を繰り込み、カメラへの電源供給を遮断して、フローを終了する。
【０１１４】
以上説明したように、本実施形態では、カメラボディ部１ａ内に、偏光フィルタ３とフィルタ回転手段とフィルタ進退手段とを収容しているので、面倒な手動によるフィルタ回転操作や着脱操作を不要とすることができ、しかもレンズ光軸に垂直な方向にスペースを取り易いカメラボディ部１ａにフィルタ３とフィルタ回転手段とフィルタ進退手段とを設けているので、カメラシステムのコストアップやデザイン上の破綻を防止することができる。
【０１１５】
しかも、本実施形態では、フィルタ回転手段とフィルタ進退手段の駆動源であるフィルタ駆動モータ９を共用しているため、よりコストダウンを図れるとともにコンパクトなカメラを実現することができる。
【０１１６】
また、本実施形態では、測光結果が最小値となったときの回転位置（記憶位置）にフィルタ３をセットしたり、測光結果が最大値および最小値となったときのフィルタ回転位置（記憶位置）に基づいてフィルタ効果設定ダイヤル２２によるフィルタ効果度の設定に応じてフィルタ回転位置を制御したりするので、適正なフィルタ効果が得られる位置に自動的にフィルタを回転させることができ、容易に適正露出を得ることができる。
【０１１７】
さらに、本実施形態では、測光結果の最大値が所定値Ａよりも小さいとき、測光結果の最大値および最小値の差が所定値Ｂより小さいときおよび逆光状態のときのようにフィルタ効果が少ないときやフィルタ効果がない方が好ましい場合には、偏光フィルタ３を撮影レンズ光路外に自動的に退避させるようにしているので、フィルタ３によって減光される分の露光可能な光量を無駄にしたり露出不足の撮影が行われたりするのを確実に防止することができる。
【０１１８】
また、本実施形態では、近接撮影でない通常撮影をストロボ発光を伴って行うときに、偏光フィルタ３を撮影レンズ光路外に退避させるようにしているので、ストロボ発光したにもかかわらず露出不足となったりエネルギが無駄になったりするのを確実に防ぐことができる。
【０１１９】
また、近接撮影をストロボ発光を伴って行うときには、偏光フィルタ３をストロボ反射光を効果的にカットする位置にセットするようにしているので、ストロボの強い反射光がレンズ光路内に進入するのを抑えることができ、良好な近接ストロボ撮影を行うことができる。
【０１２０】
また、本実施形態では、撮影レンズ光路内に偏光フィルタ３を進入させた状態で撮影する時に、フィルタ３が退避した状態での測距結果を補正するなどして測距結果を適切に変えるようにしているので、被写体に対するピントずれを確実に防止することができる。
【０１２１】
（第２実施形態）
図８〜図１５は、本発明の第２実施形態である一眼レフカメラを示している。なお、図８は一眼レフカメラを上方から見た要部構成図、図９は一眼レフカメラの外観斜視図、図１０は一眼レフカメラの縦中央断面図である。また、図１１は要部斜視図で、フィルタが撮影レンズの光路内に進入した状態を表す。また、図１２は要部斜視図で、フィルタが撮影レンズの光路外に退避した状態を表す。さらに、図１３は構成要素を表すブロック図、図１４および図１５は作動フローチャートである。
【０１２２】
なお、本実施形態において、第１実施形態と同じ構成部分については第１実施形態にて付した符号（数字）に２００を加えて示す。
【０１２３】
これらの図において、２０１は一眼レフカメラであり、図１１及び図１２に示す要部構成が全て収容されたカメラボディ２０１ａと、撮影レンズ２０２が収容されたレンズ鏡筒２０１ｂとから構成されている。２０２は近接（マクロ）撮影が可能な撮影レンズで、２０３は偏光フィルタ（請求の範囲にいう光学フィルタ）である。
【０１２４】
２０４はフィルタ保持枠で、偏光フィルタ２０３を固定保持している。このフィルタ保持枠２０４は、外周前側（被写体側）にて撮影レンズ２０２の光軸と平行な軸を中心に回転可能にフィルタ支持部材２０５に支持されており、外周後側（フィルム面側）には回動力を受けるギヤ（以下、フィルタギヤという）２０４ａが設けられている。
【０１２５】
図１０〜図１２に示す２０５ａはフィルタ支持部材２０５の進退ガイド部であり、この進退ガイド部２０５ａには、カメラ本体２７３に植設されたフランジ付きの２本のガイドピン２０６と嵌合する長孔２０５ｂが形成されている。フィルタ支持部材２０５は、これらガイドピン２０６と長孔２０５ｂとの嵌合により光軸垂直方向（カメラの左右方向）にスライド可能に、しかもガイドピン２０６のフランジ２０６ａとカメラ本体２３７により僅かの隙間をもって挟まれることにより光軸方向の規制を受けて、カメラ本体２３７に支持されている。
【０１２６】
２０５ｃはフィルタ支持部材２０５の進退ガイド部２０５ａの上端に設けられたラックギヤ、２０５ｄはフィルタ支持部材２０５の進退ガイド部２０５ａの下端に設けられたばね掛け、２０７ａはカメラ本体２３７に設けられたばね掛けである。２０７ｂはカメラ本体２３７に設けられたストッパであり、図１１に示すように、これにフィルタ支持部材２０５の進退ガイド部２０５ａの右端２０５ｅが当接することにより、偏光フィルタ２０３の回転中心と撮影レンズ２０２の光軸とがほぼ一致するようになっている。
【０１２７】
２０８は引っ張りコイルばねで、両ばね掛け２０５ｄ，２０７ａの間に掛けられ、図１１の状態で進退ガイド部２０５ａの右端２０５ｅとストッパ２０７ｂとを当接させるように張力を発生している。
【０１２８】
２０９はフィルタ駆動用電磁モータ（以下、フィルタ駆動モータという）であり、カメラ本体２３７に固定されている。２１０はモータウォームギヤ、２１１は大ギヤがモータウオームギヤ２１０と噛合う斜歯ギヤ２１１ａと小ギヤ２１１ｂからなる第１二段ギヤである。２１２は第２二段ギヤで、大ギヤ２１２ａが小ギヤ２１１ｂと噛合い、小ギヤ２１２ｂが太陽ギヤとなって遊星ギヤ２１３と噛合う。
【０１２９】
２１４は遊星アームで、遊星ギヤ２１３を太陽ギヤ２１２ｂの回りに公転可能に保持する。２１５はアイドラギヤで、遊星ギヤ２１３とフィルタギヤ２０４ａとの間を繋ぐ。なお、ギヤ２１１，２１２，２１５はカメラ本体２３７に回転可能に取り付けられている。また、フィルタ駆動モータ２０９の正転・逆転により、遊星ギヤ２１３は太陽ギヤ２１２ｂの回りを時計回り方向又は反時計回り方向に公転して、アイドラギヤ２１５又はラックギヤ２０５ｃに噛合い、これらに偏光フィルタ２０３の回転や撮影レンズ２０２の光路内外への進退動作のための駆動力を伝達する。
【０１３０】
なお、フィルタ駆動モータ２０９，ギヤ２１０，２１１，２１２，２１３、遊星アーム２１４、アイドラギヤ２１５およびフィルタギヤ２０４ａは、請求の範囲にいうフィルタ回転手段を構成する。また、ラックギヤ２０５ｃ，引っ張りコイルばね２０８，フィルタ駆動モータ２０９，ギヤ２１０，２１１，２１２，２１３および遊星アーム２１４は、フィルタ進退手段を構成する。
【０１３１】
２１６は位相板で、フィルタ保持枠２０４の後端（フィルタギヤ２０４ａの後）に偏光フィルタ２０３の回転軸と同心に固定されている。この位相板２１６は、偏光フィルタ２０３の光路を遮らないようにリング形状に形成されている。また、位相板２１６はリスフィルム等の薄いフィルムからなり、このフィルム上に透光部と遮光部の連続パターンが形成されて構成されている。さらに、図１２に示す２１６ａは、他の透光部よりも大きい位相で形成された初期位置用透光部である。
【０１３２】
２１７は位相板２１６を挟んで撮影レンズ２０２の光軸の真上に設けられたフォトインタラプタであり、偏光フィルタ２０３の回転によりフォトインタラプタ２１７内に位相板２１６の透光部が位置したときに信号を出力し、位相板２１６の遮光部が位置したときに信号出力を停止する。これにより、偏光フィルタ２０３の回転角度に応じたパルス信号が形成され、初期位置からのパルス信号数を図１３に示す制御回路２３２によってカウントすることにより、偏光フィルタ２０３の回転位置を割出すことができる。
【０１３３】
２３８は撮影光軸付近をハーフミラーとした主ミラーで、主ミラー受板（撮影光軸付近に開口を設けてある）２３９に接着固定されている。主ミラー２３８は、主ミラー受板２３９に設けられた軸２３９ａを中心に図１０のミラーダウンした観察状態と不図示のミラーアップした撮影光路外退避状態との間で回動可能となっている。なお、ミラーダウンした観察状態では、撮影レンズ２０２を通った被写体光は主ミラー２３８で４５度上へ反射され、ピント板２４０に像を結び、ペンタダハプリズム２４１で正立正像になり接眼レンズ２４２を通して撮影者に観察される。
【０１３４】
２１８は測光レンズ、２１９は測光センサ（ＳＰＣ）である。測光センサ２１９は、センサ受光面の中央と外周の出力を分離して検知できる逆光検知機能を有しており、図１３に示すように測光ＩＣ２１９と一体化されている。測光レンズ２１８および測光センサ２１９はペンタダハプリズム２４１の射出面の後に配置され、偏光フィルタ２０３を通過した被写界光を測ることができる。
【０１３５】
２４３はサブミラーで、サブミラー受板２４４に接着支持する。サブミラー受板２４４は、軸２４４ａにより主ミラー受板２３９に回動自在に支持される。サブミラー２４３は、図１０に示すようにミラーダウンした観察状態で、主ミラー２３８の撮影光軸付近のハーフミラー部を通過した被写体光をカメラ下方に配置した焦点検出部へ導く。また、サブミラー受板２４４は、不図示のミラーアップした撮影光路外退避状態で、主ミラー受板２３９の撮影光軸付近の開口を塞ぐ。２４５は焦点検出光学系のフィールドレンズ、２４６は反射ミラー、２４７は焦点検出光学系の二次結像レンズ、２３３はパッシブオートフォーカス用位相差検出方式の測距センサ、２４８はフォーカルプレーンシャッタである。
【０１３６】
２２０はフィルタ進退検知スイッチで、偏光フィルタ２０３が撮影レンズ光路内へ進入したときにＯＦＦに、光路外へ退避したときにＯＮになる。図８および図１０に示す２２１はレンズの絞りである。
【０１３７】
図９に示す２２２はカメラボディ２０１ａの上面に設けられたフィルタ効果設定ダイヤルであり、これを撮影者が回転させることにより、偏光フィルタ２０３の効果を選択的に設定できるようになっている。
【０１３８】
具体的には、偏光フィルタ２０３を撮影レンズ光路外に退避させるＯＦＦポジション、偏光フィルタ２０３を撮影レンズ光路内に進入させるとともに最大フィルタ効果を得る回転位置にセットするＭＡＸポジション、最小フィルタ効果を得る回転位置にセットするＭＩＮポジション、最大と最小の半分となるフィルタ効果を得る回転位置にセットする１／２ポジション、最大と最小の４分の１となるフィルタ効果を得る回転位置にセットする１／４ポジション、最大と最小の４分の３となる回転位置にセットする３／４ポジションに設定可能である。
【０１３９】
２２３は上記各ポジションを選択する際に合わせる指標、２４９はフィルタ回転・停止マニュアルスイッチであり、このスイッチ２４９をレリーズボタンのように指で押込むと、ＯＮとなってフィルタ駆動モータ２０９を正転させ、フィルタ２０３を回転駆動することができる。また、このスイッチ２４９から指を放せばＯＦＦとなり、フィルタ駆動モータ２０９を停止させてフィルタ２０３の回転を停止させることができる。このように、撮影者がファインダを覗いてフィルタ効果を確認しながら、所望する任意の回転位置にフィルタ２０３をセットすることができる。
【０１４０】
２２７はストロボ発光窓、２２８はレリーズボタン、２２９はフィルム巻取りスプール、２３０はフィルム、２３１はフィルムパトローネである。
【０１４１】
図１３において、２３２はカメラ全体を制御する制御回路（ＣＰＵ）であり、偏光フィルタ２０３を回転させながら測光センサ２１９により測光した測光値に基づいて各種演算をする演算機能や、特定のフィルタ回転位置等を記憶するメモリ機能等を有する。また、測距演算と焦点調節制御も全て制御回路２３２が行い、不図示のレンズ駆動モータで焦点調節用レンズを動かして焦点調節を行う。
【０１４２】
なお、これらＡＦ制御系、ＡＦ駆動系、サブミラー２４３、焦点検出光学系のフィールドレンズ２４５、反射ミラー２４６、焦点検出光学系の二次結像レンズ２４７およびパッシブオートフォーカス用位相差検出方式の測距センサ２３３からなる焦点検出部により焦点調節装置が構成される。
【０１４３】
２３４はフィルタ駆動モータ２０９を駆動するためのモータ駆動回路、２３５はストロボを発光させるための高電圧を作り出すストロボ回路である。２３６はストロボ発光部であり、発光管と反射笠とから構成されている。
【０１４４】
２５０はリトラクタブルストロボ支持カバーで、軸２５０ａの回りで回動可能に支持され、不図示のリトラクタブル機構により収納位置と発光位置とに変位する。２５１はストロボがリトラクタブル機構により発光可能位置にポップアップしたときにＯＮし、格納位置に格納されたときＯＦＦするストロボポップアップスイッチである。２５２はアクセサリーシューである。
【０１４５】
次に、上記制御回路３２の動作を図１４および図１５のフローチャートに沿って説明する。なお、これらの図のフローチャートにおいて、丸囲みの数字を付した部分は互いにつながっていることを示している。
【０１４６】
［ステップ２０１（Ｓ２０１）］
不図示のメインスイッチをＯＮすると、カメラに電源が供給され、撮影準備初期状態となる。
【０１４７】
［ステップ２０２（Ｓ２０２）］
制御回路２３２は、フィルタ効果設定ダイヤル２２２の設定状態を検出し、これがＯＦＦポジションであればステップ２０３へ進み、ＭＡＸ，３／４，１／２，１／４，ＭＩＮポジションのいずれかであればステップ２５１に進む。
【０１４８】
［ステップ２０３（Ｓ２０３）］
制御回路２３２は、フィルタ進退検知スイッチ２２０の状態を検出し、偏光フィルタ２０３が確実に撮影レンズ光路外へ退避している（図１２の状態）か否かをチェックする。スイッチ２２０がＯＮであれば、偏光フィルタ２０３の退避を確認してステップ２０７へ進む。スイッチ２２０がＯＦＦであれば、偏光フィルタ２０３が撮影レンズ光路内に進入している（図１１の状態）と判断し、ステップ２０４へ進む。
【０１４９】
［ステップ２０４（Ｓ２０４）］
制御回路２３２は、モータ駆動回路２３４へフィルタ駆動モータ２０９を逆転させるよう指令を送り、フィルタ駆動モータ２０９を逆転させる。モータ２０９の動力はモータウオームギヤ２１０を介して、図１１の状態から第１二段ギヤ２１１を時計回り方向に、第２二段ギヤ２１２を反時計回り方向に回転させ、遊星ギヤ２１３を太陽ギヤ２１２ｂの周りにて反時計回り方向に公転させる。このため、今までアイドラギヤ２１５に噛合っていた遊星ギヤ２１３は、ラックギヤ２０５ｃに噛合い、引っ張りコイルばね２０８の張力に抗してフィルタ支持部材２０５を偏光フィルタ２０３が撮影レンズ光路外へ完全に退避する位置（図１２の状態）に移動するまで回転する。
【０１５０】
［ステップ２０５（Ｓ２０５）］
制御回路２３２は、再びフィルタ進退検知スイッチ２２０の状態を検出し、偏光フィルタ２０３が確実に撮影レンズ光路外へ退避した（図１２の状態）か否かをチェックする。スイッチ２２０がＯＮであれば、偏光フィルタ２０３の退避を確認してステップ２０６へ進む。スイッチ２２０がＯＦＦであれば、まだ偏光フィルタ２０３が撮影レンズ光路外に退避していないと判断し、ステップ２０４を繰り返す。
【０１５１】
［ステップ２０６（Ｓ２０６）］
制御回路２３２は、モータ駆動回路２３４へフィルタ駆動モータ２０９を停止させるよう指令を送り、フィルタ駆動モータ２０９を停止させる。ここでフィルタ支持部材２０５には引っ張りコイルばね２０８により常に撮影レンズ光路内へ進入させるような張力が働くが、ラックギヤ２０５ｃから遊星ギヤ２１３、第２二段ギヤ２１２、第１二段ギヤ２１１およびモータウオームギヤ２１０へと増速方向の噛合いで増速最終段がウオームギヤとなっているため、ばね２０８の張力では逆転することはなく、図１２の状態で保持される。
【０１５２】
なお、万一大きなショックがカメラに加わりこれらギヤの噛合いがはずれてしまう惧れを考慮するなら、フィルタ支持部材２０５の進退ガイド部２０５ａを図１２の状態で係止保持し、フィルタ駆動モータ２０９の正転で係止解除するような係止機構を設けてもよい。次にステップ２０７へ進む。
【０１５３】
［ステップ２０７（Ｓ２０７）］
制御回路２３２は、カメラのレリーズボタン２２８が第１ストロークまで押されてＳＷ−１がＯＮしたか否かを判別する。ＯＮであればステップ２０８へ進む。ＳＷ−１がＯＦＦであればステップ２４３まで飛ぶ。
【０１５４】
［ステップ２０８（Ｓ２０８）］
制御回路２３２は、測光ＩＣと一体化された測光センサ２１９からの測光出力を取り込み、ＡＥ測光演算を行い露光制御値を決定する。
【０１５５】
［ステップ２０９（Ｓ２０９）］
制御回路２３２は、測距センサ２３３からの出力からＡＦ測距演算を行って焦点合わせのための撮影レンズ駆動量を決定する。
【０１５６】
［ステップ２１０（Ｓ２１０）］
制御回路２３２は、ステップ２０９で決定された撮影レンズ駆動量に基づいて撮影レンズ２０２を駆動し、焦点調節を行う。
【０１５７】
［ステップ２１１（Ｓ２１１）］
不図示のストロボモード設定手段によりストロボオートモードが選択された場合、ステップ２０８でのＡＥ測光演算によりストロボ発光の必要のある被写体低輝度と判断した場合およびストロボモード設定手段によりストロボ強制発光が選択された場合は、制御手段２３２はストロボ発光すると判断して、不図示のポップアップ機構によりストロボをポップアップさせて発光準備し、ステップ２３６へ進む。ストロボが発光しないと判断した場合はステップ２１２へ進む。
【０１５８】
［ステップ２１２（Ｓ２１２）］
制御回路２３２は、カメラのレリーズボタン２２８が第２ストロークまで押されてＳＷ−２がＯＮしたか否かを判別する。ＯＮであればステップ２１３へ進む。ＳＷ−２がＯＦＦであればステップ２０２へ戻る。
【０１５９】
［ステップ２１３（Ｓ２１３）］
制御回路２３２は、ステップ２０８で決定された露出制御値に基づいて絞り２２１の開口径とフォーカルプレーンシャッタ２４８のシャッタ秒時を制御し、露光を行う。
【０１６０】
［ステップ２１５（Ｓ２１５）］
制御回路２３２は、フィルムを一駒巻上げ、次の撮影に備える。巻上げ終了後はステップ２０２へ戻る。
【０１６１】
［ステップ２５１（Ｓ２５１）］
制御回路２３２は、フィルタ回転・停止マニュアルスイッチ２４９が押込まれてＯＮしているか否かを検出する。ＯＮしていればステップ２５２へ進み、ＯＦＦであればステップ２１６へ進む。
【０１６２】
［ステップ２５２（Ｓ２５２）］
制御手段２３２は、モータ駆動回路２３４へフィルタ駆動モータ２０９を正転させるよう指令を送り、フィルタ駆動モータ２０９を正転させる。初め図１２の状態であった場合は、モータ２０９の動力はモータウオームギヤ２１０を介して第１二段ギヤ２１１を反時計回り方向に、第２二段ギヤ２１２を時計回り方向に回転させ、遊星ギヤ２１３を太陽ギヤ２１２ｂの周りにて時計回り方向に公転させる。
【０１６３】
これにより、ラックギヤ２０５ｃと噛合っていた遊星ギヤ２１３がラックギヤ２０５ｃから外れ、アイドラギヤ２１５と噛合う。これと同時に、引っ張りコイルばね２０８に引っ張られたフィルタ支持部材２０５は、進退ガイド部２０５ａの右端２０５ｅがストッパ２０７ｂに当接する位置まで移動する。これにより、偏光フィルタ２０３が撮影レンズ光路内の所定位置へ進入するとともに、フィルタギヤ２０４ａがアイドラギヤ２１５と噛合って図１１の状態となる（初めから図１１の状態であった場合は、前述の図１２の状態からの動作は無い）。
【０１６４】
その後もモータ２０９の正転を続けさせ、フィルタギヤ２０４ａを反時計回り方向に回転させる。これにより、フィルタギヤ２０４ａと一体のフィルタ保持枠２０４に保持された偏光フィルタ２０３は、撮影レンズ２０２の光軸とほぼ一致する軸を中心に反時計回り方向に回転する。
【０１６５】
［ステップ２５３（Ｓ２５３）］
制御回路２３２は、フォトインタラプタ２１７からの出力信号を検出し、出力パルスに変化があれば偏光フィルタ２０３が回転しているとしてステップ２５４へ進む。出力パルスに変化がなければ、まだ偏光フィルタ２０３が撮影レンズ光路内の所定位置にセットされておらず、回転していないと判断してステップ２５２へ戻る。
【０１６６】
［ステップ２５４（Ｓ２５４）］
制御回路２３２は、フィルタ回転・停止マニュアルスイッチ２４９が引続き押込まれてＯＮしているか否かを検出する。ＯＮしていればステップ２５２へ戻り、ＯＦＦであればステップ２５５へ進む。
【０１６７】
［ステップ２５５（Ｓ２５５）］
制御手段２３２は、モータ駆動回路２３４へフィルタ駆動モータ２０９を停止させるよう指令を送り、フィルタ駆動モータ２０９を停止させる。次にステップ２０７へ進む。
【０１６８】
［ステップ２１６（Ｓ２１６）］
制御回路２３２は、ステップ２０２でフィルタ効果設定ダイヤル２２２がＯＦＦ以外と判断された後、カメラのレリーズボタン２２８が第１ストロークまで押されてＳＷ−１がＯＮしたか否かを判別する。ＯＮであればステップ２１７へ進む。ＳＷ−１がＯＦＦであればステップ２４３まで飛ぶ。
【０１６９】
［ステップ２１７（Ｓ２１７）］
制御手段２３２は、モータ駆動回路２３４へフィルタ駆動モータ２０９を正転させるよう指令を送り、フィルタ駆動モータ２０９を正転させる。初め図１２の状態であった場合は、モータ２０９の動力はモータウオームギヤ２１０を介して第１二段ギヤ２１１を反時計回り方向に、第２二段ギヤ２１２を時計回り方向に回転させ、遊星ギヤ２１３を太陽ギヤ２１２ｂの周りにて時計回り方向に公転させる。
【０１７０】
これにより、ラックギヤ２０５ｃと噛合っていた遊星ギヤ２１３がラックギヤ２０５ｃから外れ、アイドラギヤ２１５と噛合う。これと同時に、引っ張りコイルばね２０８に引っ張られたフィルタ支持部材２０５は、進退ガイド部２０５ａの右端２０５ｅがストッパ２０７ｂに当接する位置まで移動する。これにより、偏光フィルタ２０３が撮影レンズ光路内の所定位置へ進入するとともに、フィルタギヤ２０４ａがアイドラギヤ２１５と噛合って図１１の状態となる（初めから図１１の状態であった場合は、前述の図１２の状態からの動作は無い）。
【０１７１】
その後もモータ２０９の正転を続けさせ、フィルタギヤ２０４ａを反時計回り方向に回転させる。これにより、フィルタギヤ２０４ａと一体のフィルタ保持枠２０４に保持された偏光フィルタ２０３は、撮影レンズ２０２の光軸とほぼ一致する軸を中心に反時計回り方向に回転する。
【０１７２】
［ステップ２１８（Ｓ２１８）］
制御回路２３２は、偏光フィルタ２０３を回転させたまま偏光フィルタ２０３を通過した被写体光を受けた測光センサ２１９からの測光出力を取り込み、ＡＥ測光演算を行う。
【０１７３】
［ステップ２１９（Ｓ２１９）］
ステップ２１８と同時に、制御手段２３２は測距センサ２３３の出力からＡＦ測距演算を行い、焦点合わせのための撮影レンズ駆動量を決定する。このときの測距センサ２３３の出力は、撮影レンズ２０２と偏光フィルタ２０３を通った被写体光によるものであり、偏光フィルタ２０３を挿入した分の光路長変化が加わった分、偏光フィルタ２０３を挿入しなかったときの測距結果とは明らかに異なる。しかし、ＴＴＬ一眼レフカメラでは、フィルムへの光も測距センサへの光も偏光フィルタを挿入した分の光路長変化は同じなので、補正をせずに測距センサ２３３の出力のままに同じ測距演算によりレンズ駆動量を求めて焦点調節制御すればよい。
【０１７４】
［ステップ２２０−１（Ｓ２２０−１）］
ステップ２１８，２１９と同時に、制御手段２３２は測光センサ２１９からの測光出力の最大値と最小値を検出演算すると共に、測光出力とフォトインタラプタ２１７の初期位置からのパルスのカウント数を対応付け、測光出力が最大値と最小値を示した時の偏光フィルタ２０３の回転位置をそれぞれ記憶する。
【０１７５】
［ステップ２２０−２（Ｓ２２０−２）］
制御回路２３２は、ステップ２１９で決定された撮影レンズ駆動量に基づいて撮影レンズ２０２を駆動し、焦点調節を行う。
［ステップ２２１（Ｓ２２１）］
制御回路２３２は、ストロボモード設定手段によってストロボ強制発光が選択された場合は、ストロボが発光すると判断し、ポップアップ機構によりストロボをポップアップさせて発光準備し、ステップ２４０へ進む。ストロボが発光しない場合はステップ２２２へ進む。
【０１７６】
［ステップ２２２（Ｓ２２２）］
制御回路２３２は、ステップ２１８でのＡＥ測光演算により、測光センサ２１９でセンサ受光面の中央と外周の測光出力差が所定値より大きくなった時は、偏光フィルタの効果の少ない逆光撮影であると判断して、ステップ２０４へ戻り、偏光フィルタ２０３の撮影レンズ光路外への退避動作を行う。逆光撮影でなければステップ２２３へ進む。
【０１７７】
［ステップ２２３（Ｓ２２３）］
制御回路２３２は、ステップ２１８でのＡＥ測光演算により、偏光フィルタ２０３の進入時の測光出力最大値が所定値Ａよりも小さい低輝度被写体撮影と判断したときは、このまま撮影するとシャッタ露光秒時が長秒時になり手ぶれの惧れがあり、ストロボ発光の必要があるのでステップ２０４へ戻り、偏光フィルタ２０３の撮影レンズ光路外への退避動作を行う。所定値Ａよりも小さくなければステップ２２４へ進む。
【０１７８】
［ステップ２２４（Ｓ２２４）］
制御回路２３２は、ステップ２１８でのＡＥ測光演算により、偏光フィルタ２０３の進入時の測光出力最大値と最小値の差が所定値Ｂよりも小さいと判断したときは、偏光フィルタ２０３の効果が少ないとしてステップ２０４へ戻り、偏光フィルタ２０３の撮影レンズ光路外への退避動作を行う。所定値Ｂよりも小さくなければステップ２２５へ進む。
【０１７９】
［ステップ２２５（Ｓ２２５）］
制御回路２３２は、フィルタ効果設定ダイヤル２２２の設定状態を検出し、これがＭＡＸポジションに設定されていればステップ２２６へ進む。そうでなければ、ステップ２２７へ進む。
【０１８０】
［ステップ２２６（Ｓ２２６）］
制御回路２３２は、ステップ２２０−１での偏光フィルタ効果の最も大きい測光出力が最小値を示した記憶位置に偏光フィルタ２０３をセットするようモータ駆動回路２３４に制御信号を伝える。そして、初期位置からのフォトインタラプタ２１７のパルスをカウントし、所望位置が得られた時点でフィルタ駆動モータ２０９の駆動を停止させる。その後ステップ２１２へ進む。
【０１８１】
［ステップ２２７（Ｓ２７）］
制御回路２３２は、フィルタ効果設定ダイヤル２２２の設定状態を検出し、これが３／４ポジションに設定されていればステップ２２８へ進む。そうでなければ、ステップ２２９へ進む。
【０１８２】
［ステップ２２８（Ｓ２２８）］
制御回路２３２は、ステップ２２０−１での測光出力が最小値を示した記憶位置と測光出力が最大値を示した記憶位置との間のフィルタ回転角度を４等分し、そのうちの最小値側に寄った偏光フィルタ効果が２番目に大きい（フィルタ効果はＭＡＸ−ＭＩＮの３／４のイメージとなる）位置に偏光フィルタ２０３をセットするようモータ駆動回路２３４に制御信号を伝える。そして、初期位置からのフォトインタラプタ２１７のパルスをカウントし、所望位置が得られた時点でフィルタ駆動モータ２０９の駆動を停止させる。その後ステップ２１２へ進む。
【０１８３】
［ステップ２２９（Ｓ２２９）］
制御回路２３２は、フィルタ効果設定ダイヤル２２２の設定状態を検出し、これが１／２ポジションに設定されていればステップ２３０へ進む。そうでなければステップ２３１へ進む。
【０１８４】
［ステップ２３０（Ｓ２３０）］
制御回路２３２は、ステップ２２０−１での測光出力が最小値を示した記憶位置と測光出力が最大値を示した記憶位置との間のフィルタ回転角度を４等分し、そのうちの偏光フィルタ効果が中間の（フィルタ効果はＭＡＸ−ＭＩＮの１／２のイメージとなる）位置に偏光フィルタ２０３をセットするようモータ駆動回路２３４へ制御信号を伝える。そして、初期位置からのフォトインタラプタ２１７のパルスをカウントし、所望位置が得られた時点でフィルタ駆動モータ２０９の駆動を停止させる。その後ステップ２１２へ進む。
【０１８５】
［ステップ２３１（Ｓ２３１）］
制御回路２３２は、フィルタ効果設定ダイヤル２２２の設定状態を検出し、これが１／４ポジションに設定されていればステップ２３２へ進む。そうでなければ、ステップ２３３へ進む。
【０１８６】
［ステップ２３２（Ｓ２３２）］
制御回路２３２は、ステップ２２０−１での測光出力が最小値を示した記憶位置と測光出力が最大値を示した記憶位置との間のフィルタ回転角度を４等分し、そのうちの最大値側に寄った偏光フィルタ効果が２番目に小さい（フィルタ効果はＭＡＸ−ＭＩＮの１／４のイメージとなる）位置に偏光フィルタ２０３をセットするようモータ駆動回路２３４へ制御信号を伝える。そして、初期位置からのフォトインタラプタ２１７のパルスをカウントし、所望位置が得られた時点でフィルタ駆動モータ２０９の駆動を停止させる。その後ステップ２１２へ進む。
【０１８７】
［ステップ２３３（Ｓ２３３）］
制御回路２３２は、フィルタ効果設定ダイヤル２２２の設定状態を検出し、これがＭＩＮポジションに設定されていればステップ２３４へ進む。そうでなければ、ステップ２３５へ進む。
【０１８８】
［ステップ２３４（Ｓ２３４）］
制御回路２３２は、ステップ２２０−１での偏光フィルタ効果の最も小さい測光出力が最大値を示した記憶位置に偏光フィルタ２０３をセットするようモータ駆動回路２３４へ制御信号を伝える。そして、初期位置からのフォトインタラプタ２１７のパルスをカウントし、所望位置が得られた時点でフィルタ駆動モータ２０９の駆動を停止させる。その後ステップ２１２へ進む。
【０１８９】
［ステップ２３５（Ｓ２３５）］
ステップ２２５，２２７，２２９，２３１，２３３にていずれのダイヤルポジションとなっているか判別できなかった場合は、フィルタ効果設定ダイヤル２２２に接触不良等の不具合が生じたとして、制御回路２３２からモータ駆動回路２３４へ制御信号を伝え、フォトインタラプタ２１７のパルスを検出しながら偏光フィルタ２０３を回転初期位置に戻す。その後カメラを作動禁止とする。
【０１９０】
［ステップ２３６（Ｓ３６）］
制御回路２３２は、ステップ２１１にてストロボが発光すると判断した後、ステップ２０９にて得られた測距演算値がマクロ撮影領域に入る所定の近接距離Ｃよりも大きいと判断した場合は、通常距離の撮影とみなし、ステップ２３７へ進む。そうでない場合は近接距離の撮影（マクロ撮影）と見なし、ステップ２４１へ進む。
【０１９１】
［ステップ２３７（Ｓ２３７）］
制御回路２３２は、カメラのレリーズボタン２２８が第２ストロークまで押されてＳＷ−２がＯＮしたか否かを判別する。ＯＮであればステップ２３９へ進む。ＳＷ−２がＯＦＦであればステップ２０２へ戻る。
【０１９２】
［ステップ２３９（Ｓ２３９）］
制御回路２３２は、ステップ２０８のフローを通ってきた場合はステップ２０８で決定された露出制御値に基づいて、ステップ２１８のフローを通ってきた場合はステップ２１８で決定された露出制御値に基づいて、絞り２２１の開口径とフォーカルプレーンシャッタ２４８のシャッタ秒時を制御し、ストロボを発光させ露光を行う。その後ステップ２１５へ進む。
【０１９３】
［ステップ２４０（Ｓ２４０）］
制御回路２３２は、ステップ２２１にてストロボが発光すると判断した後、ステップ２１９にて得られた測距演算値がマクロ撮影領域に入る所定の近接距離Ｃよりも大きいと判断した場合は、通常距離の撮影と見なし、ステップ２０４へ戻って偏光フィルタ２０３の撮影レンズ光路外への退避動作を行わせる。そうでない場合は近接距離の撮影（マクロ撮影）と見なし、ステップ２４１へ進む。
【０１９４】
［ステップ２４１（Ｓ２４１）］
制御手段２３２は、モータ駆動回路２３４へフィルタ駆動モータ２０９を正転させるよう指令を送り、フィルタ駆動モータ２０９を正転させる。ステップ２３６を経由した初め図１２の状態であった場合は、モータ２０９の動力はモータウオームギヤ２１０を介して第１二段ギヤ２１１を反時計回り方向に、第２二段ギヤ２１２を時計回り方向に回転させ、遊星ギヤ２１３を太陽ギヤ２１２ｂの周りで時計回り方向に公転させる。このため、ラックギヤ２０５ｃと噛合っていた遊星ギヤ２１３はラックギヤ２０５ｃから外れ、アイドラギヤ２１５と噛合う。
【０１９５】
これと同時に、引っ張りコイルばね２０８に引っ張られたフィルタ支持部材２０５は、進退ガイド部２０５ａの右端２０５ｅがストッパ２０７ｂに当接する位置まで移動する。これにより、偏光フィルタ２０３が撮影レンズ光路内の所定位置へ進入するとともに、フィルタギヤ２０４ａがアイドラギヤ２１５と噛合って図１１の状態となる（ステップ２４０を経由した初めから図１１の状態であった場合は前述の図１２の状態からの動作は無い）。
【０１９６】
その後もモータ２０９の正転を続けさせ、フィルタギヤ２０４ａを反時計回り方向に回転させる。これにより、フィルタギヤ２０４ａと一体のフィルタ保持枠２０４に保持された偏光フィルタ２０３は、撮影レンズ２０２の光軸とほぼ一致する軸を中心に反時計回り方向へ回転する。
【０１９７】
［ステップ２４２（Ｓ２４２）］
制御回路２３２は、ストロボから出た光が近接被写体（複写等の主に平面被写体で特に平滑面を有しているもの）により反射されて撮影レンズ内に入ってしまうのを最も効果的にカットできる回転位置に偏光フィルタ２０３をセットするため、モータ駆動回路２３４へ制御信号を伝える。なお、上記回転位置は、被写体とカメラの内蔵ストロボの位置関係でほぼ決まり、予めメモリ内に記憶されたものである。
【０１９８】
そして、初期位置からのフォトインタラプタ２１７のパルスをカウントし、所望位置が得られた時点でフィルタ駆動モータ２０９の駆動を停止する。その後ステップ２３７へ進む。
【０１９９】
［ステップ２４３（Ｓ２４３）］
制御手段２３２は、測光タイマー（レリーズボタンを押してＳＷ−１ＯＮを保持せずとも露出設定変更できるよう、測光可能状態を所定時間保持するタイマー）の状態を検出し、作動中であればステップ２０２へ戻る。所定時間が経過し不作動であればステップ２４４へ進む。
【０２００】
［ステップ２４４（Ｓ４４）］
制御回路２３２は、不図示のメインスイッチの状態を検出し、ＯＮであればステップ２０２へ戻り、以下繰り返す。ＯＦＦであればステップ２４５へ進む。
【０２０１】
［ステップ２４５（Ｓ２４５）］
制御回路２３２は、カメラへの電源供給を遮断して、フローを終了する。
【０２０２】
以上説明したように、本実施形態では、カメラボディ２０１ａ内に、偏光フィルタ２０３とフィルタ回転手段とフィルタ進退手段とを収容しているので、面倒な手動によるフィルタ回転操作や着脱操作を不要とすることができ、しかもレンズ光軸に垂直な方向にスペースを取り易いカメラボディ２０１ａに偏光フィルタ２０３とフィルタ回転手段とフィルタ進退手段とを設けているので、カメラシステムのコストアップやデザイン上の破綻を防止することができる。
【０２０３】
しかも、本実施形態では、フィルタ回転手段とフィルタ進退手段の駆動源であるフィルタ駆動モータ２０９を共用しているため、よりコストダウンを図れるとともにコンパクトなカメラを実現することができる。
【０２０４】
また、本実施形態では、測光結果が最小値となったときの回転位置（記憶位置）にフィルタ２０３をセットしたり、測光結果が最大値および最小値となったときのフィルタ回転位置（記憶位置）に基づいてフィルタ効果設定ダイヤル２２２によるフィルタ効果度の設定に応じてフィルタ回転位置を制御したりするので、適正なフィルタ効果が得られる位置に自動的にフィルタを回転させることができ、容易に適正露出を得ることができる。
【０２０５】
さらに、本実施形態では、測光結果の最大値が所定値Ａよりも小さいとき、測光結果の最大値および最小値の差が所定値Ｂより小さいときおよび逆光状態のときのようにフィルタ効果が少ないときやフィルタ効果がない方が好ましい場合には、偏光フィルタ２０３を撮影レンズ光路外に自動的に退避させるようにしているので、フィルタによって減光される分の露光可能な光量を無駄にしたり露出不足の撮影が行われたりするのを確実に防止することができる。
【０２０６】
また、本実施形態では、近接撮影でない通常撮影をストロボ発光を伴って行うときに、偏光フィルタ２０３を撮影レンズ光路外に退避させるようにしているので、ストロボ発光したにもかかわらず露出不足となったりエネルギが無駄になったりするのを確実に防ぐことができる。
【０２０７】
また、近接撮影をストロボ発光を伴って行うときには、偏光フィルタ２０３をストロボ反射光を効果的にカットする位置にセットするようにしているので、ストロボの強い反射光がレンズ光路内に進入するのを抑えることができ、良好な近接ストロボ撮影を行うことができる。
【０２０８】
なお、上記各実施形態においては、光学フィルタが偏光フィルタの場合について説明したが、その他の光学フィルタでも有効な場合がある。例えば、画面の半分に減光効果のあるＮＤフィルタ（いわゆるハーフＮＤ）や画面を連続的に徐々に減光する効果のあるグラジュエーションフィルタ等を用いて、撮影者の所望のフィルタ効果が得られるようフィルタ効果設定手段で減光部が画面上、画面下、画面右、画面左となる各ポジションを設け回転位置とフィルタ効果を対応付けて、同様にフィルタの回転位置を電動制御することで実現できる。
【０２０９】
また同様にフィルタの要・不要を撮影条件により自動判別して撮影レンズ光路内外への進退動作を電動にて行うこともできる。
【０２１０】
また、上記各実施形態では、駆動源が電磁モータの場合について説明したが、その他マグネットやプランジャ等の電磁アクチュエータ、静電アクチュエータ、圧電素子、超音波モータ等も応用可能である。
【０２１１】
さらに、上記各実施形態では、偏光フィルタの進退動作と回転動作とを１つの駆動源の駆動力にて行う場合について説明したが、両動作を別々の駆動源の駆動力にて独立に行っても構わない。
【０２１２】
また、上記各実施形態では、銀塩フィルムを用いるカメラについて説明したが、本発明は電子スチルカメラ、ビデオカメラ等のムービーカメラにも適用可能である。
【０２１４】
本発明によれば、光学フィルタを回転させたまま測光を行わせ、測光結果が最大値および最小値となったときの光学フィルタの回転位置に基づいてフィルタ効果設定手段により設定されたフィルタ効果度に応じた光学フィルタの回転位置制御を行うことにより、適正なフィルタ効果が得られる位置に自動的にフィルタを回転させることが可能となり、容易に適正露出を得ることができる。
【図面の簡単な説明】
【図１】本発明の第１実施形態であるレンズシャッタカメラの平面図である。
【図２】上記カメラの外観斜視図である。
【図３】上記カメラのフィルタ駆動機構（偏光フィルタが撮影レンズの光路内に進入した状態）を示す斜視図である。
【図４】上記カメラのフィルタ駆動機構（偏光フィルタが撮影レンズの光路外に退避した状態）を示す斜視図である。
【図５】上記カメラの電気回路ブロック図である。
【図６】上記カメラの作動フローチャートである。
【図７】上記カメラの作動フローチャートである。
【図８】本発明の第２実施形態である一眼レフカメラの平面図である。
【図９】上記一眼レフカメラの外観斜視図である。
【図１０】上記一眼レフカメラの縦中央断面図である。
【図１１】上記一眼レフカメラのフィルタ駆動機構（偏光フィルタが撮影レンズの光路内に進入した状態）を示す斜視図である。
【図１２】上記一眼レフカメラのフィルタ駆動機構（偏光フィルタが撮影レンズの光路外に退避した状態）を示す斜視図である。
【図１３】上記一眼レフカメラの電気回路ブロック図である。
【図１４】上記一眼レフカメラの作動フローチャートである。
【図１５】上記一眼レフカメラの作動フローチャートである。
【符号の説明】
１，２０１…カメラボディ
２，  ２０２…撮影レンズ
３，２０３…偏光フィルタ
５，２０５…フィルタ支持部材
５ａ，２０５ａ…進退ガイド部
５ｃ，２０５ｃ…ラックギヤ
８，２０８…引っ張りコイルばね
９，２０９…フィルタ駆動用電磁モータ
１０，２１０…モータウオームギヤ
１１，２１１…第１二段ギヤ
１２，２１２…第２二段ギヤ
１３，２１３…遊星ギヤ
１４，２１４…遊星アーム
１５，２１５…アイドラギヤ
１６，２１６…位相板
１７，２１７…フォトインタラプタ
１８，２１８…測光レンズ
１９，２１９…測光センサ
２０，２２０…フィルタ進退検知スイッチ
２２，２２２…フィルタ効果設定ダイヤル
３２，２３２…制御回路（ＣＰＵ）
３３，２３３…測距センサー
３４，２３６…ストロボ発光部
２４９…フィルタ回転・停止マニュアルスイッチ
【図１】
0003950549.tif 000002
【図２】
0003950549.tif 000003
【図３】
0003950549.tif 000004
【図４】
0003950549.tif 000005
【図５】
0003950549.tif 000006
【図６】
0003950549.tif 000007
【図７】
0003950549.tif 000008
【図８】
0003950549.tif 000009
【図９】
0003950549.tif 000010
【図１０】
0003950549.tif 000011
【図１１】
0003950549.tif 000012
【図１２】
0003950549.tif 000013
【図１３】
0003950549.tif 000014
【図１４】
0003950549.tif 000015
【図１５】
0003950549.tif 000016